【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
記録媒体に画像形成するための電子写真画像形成装置において、
本体フレームと、
前記本体フレームに支持され、第一の位置と第二の位置との間を移動可能な支持部材と、
前記支持部材に支持される被支持部材であって、前記支持部材に対して移動可能であり、電子写真感光体を有するプロセスカートリッジが着脱される被支持部材と、
を有し、
前記支持部材が前記第一の位置に位置する状態では、前記被支持部材が、前記電子写真感光体に潜像を形成できる潜像形成位置に位置し、
前記支持部材が前記第二の位置に位置する状態では、前記被支持部材が、前記プロセスカートリッジを前記被支持部材に着脱可能な着脱位置と、前記支持部材が前記第一の位置へ移動することに伴って前記被支持部材が前記潜像形成位置へ移動可能な移動可能位置と、の間を移動可能であり、
前記被支持部材が前記移動可能位置よりも前記着脱位置側に位置する状態では、前記支持部材が前記第二の位置から前記第一の位置へ移動するのが規制され、前記被支持部材が前記移動可能位置に位置する状態では、前記支持部材が前記第二の位置から前記第一の位置へ移動するのが許容されるように構成されたことを特徴とする電子写真画像形成装置。
【請求項２】
前記被支持部材が前記移動可能位置よりも前記着脱位置側に位置する状態では、前記支持部材が前記第二の位置から前記第一の位置へ移動するのを規制する規制位置と、前記被支持部材が前記移動可能位置に位置する状態では、前記支持部材が前記第二の位置から前記第一の位置へ移動するのを許容する許容位置と、を取り得る規制部材を有することを特徴とする請求項１に記載の電子写真画像形成装置。
【請求項３】
前記被支持部材が前記移動可能位置よりも前記着脱位置側に位置する状態で前記支持部材が前記第二の位置から前記第一の位置へ移動しようとする際に、前記規制位置に位置している前記規制部材が前記支持部材に当接することにより、前記支持部材が前記第二の位置から前記第一の位置へ移動するのが規制されることを特徴とする請求項２に記載の電子写真画像形成装置。
【請求項４】
前記被支持部材が前記移動可能位置よりも前記着脱位置側の位置から前記移動可能位置へ移動することにより、前記規制部材が前記規制位置から前記許容位置に移動することを特徴とする請求項２又は３に記載の電子写真画像形成装置。
【請求項５】
前記被支持部材が前記移動可能位置よりも前記着脱位置側の位置から前記移動可能位置へ移動することにより、前記被支持部材が前記規制部材を付勢して前記規制位置から前記許容位置に移動させることを特徴とする請求項４に記載の電子写真画像形成装置。
【請求項６】
前記本体フレームには開口が設けられており、
前記開口を閉じる閉じ位置と、前記開口を開放する開放位置と、を取り得る本体ドアであって、前記支持部材と連結された本体ドアを有し、
前記被支持部材が前記移動可能位置よりも前記着脱位置側に位置する状態で前記本体ドアが前記開放位置から前記閉じ位置へ移動しようとする際に、前記規制位置に位置している前記規制部材に前記支持部材が当接することによって、前記本体ドアが前記閉じ位置に移動するのが規制されることを特徴とする請求項２乃至５のいずれか１項に記載の電子写真画像形成装置。
【請求項７】
前記本体フレームに規制部が設けられており、
前記被支持部材が前記移動可能位置よりも前記着脱位置側に位置する状態で前記支持部材が前記第二の位置から前記第一の位置へ移動しようとする際に、前記被支持部材が前記規制部と当接することにより、前記支持部材の前記第一の位置への移動が規制することを特徴とする請求項１に記載の電子写真画像形成装置。
【請求項８】
前記本体フレームには開口が設けられており、
前記開口を閉じる閉じ位置と、前記開口を開放する開放位置と、を取り得る本体ドアであって、前記支持部材と連結された本体ドアを有し、
前記被支持部材が前記移動可能位置よりも前記着脱位置側に位置する状態で前記本体ドアが前記開放位置から前記閉じ位置へ移動しようとする際に、前記被支持部材が前記規制部に当接することにより、前記本体ドアの前記閉じ位置への移動が規制されることを特徴とする請求項７に記載の電子写真画像形成装置。
【請求項９】
前記電子写真感光体と接触して前記電子写真感光体からトナー像を移動させるための転写部材を有し、
前記潜像形成位置は、前記電子写真感光体と前記転写部材が接触する位置であり、
前記移動可能位置は、前記電子写真感光体と前記転写部材が離れている位置であることを特徴とする請求項１乃至８のいずれか１項に記載の電子写真画像形成装置。
【手続補正２】
【補正対象書類名】明細書
【補正対象項目名】０００７
【補正方法】変更
【補正の内容】
【０００７】
そのため、ガイド部材７１が位置（ＩＩＩ）から位置（ＩＩ）に完全に移動していない状態で側面カバー８０が締められたときに、カートリッジ３０が有する電子写真感光体の下面が他物と摺擦してキズやメモリを発生させることが想定される。
【手続補正３】
【補正対象書類名】明細書
【補正対象項目名】０００９
【補正方法】変更
【補正の内容】
【０００９】
上記の目的を達成するための本発明に係る電子写真画像形成装置の代表的な構成は、
記録媒体に画像形成するための電子写真画像形成装置において、
本体フレームと、
前記本体フレームに支持され、第一の位置と第二の位置との間を移動可能な支持部材と、
前記支持部材に支持される被支持部材であって、前記支持部材に対して移動可能であり、電子写真感光体を有するプロセスカートリッジが着脱される被支持部材と、
を有し、
前記支持部材が前記第一の位置に位置する状態では、前記被支持部材が、前記電子写真感光体に潜像を形成できる潜像形成位置に位置し、
前記支持部材が前記第二の位置に位置する状態では、前記被支持部材が、前記プロセスカートリッジを前記被支持部材に着脱可能な着脱位置と、前記支持部材が前記第一の位置へ移動することに伴って前記被支持部材が前記潜像形成位置へ移動可能な移動可能位置と、の間を移動可能であり、
前記被支持部材が前記移動可能位置よりも前記着脱位置側に位置する状態では、前記支持部材が前記第二の位置から前記第一の位置へ移動するのが規制され、前記被支持部材が前記移動可能位置に位置する状態では、前記支持部材が前記第二の位置から前記第一の位置へ移動するのが許容されるように構成されたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００３６
【補正方法】変更
【補正の内容】
【００３６】
そして、この開口３０を閉じる閉鎖位置と、開口３０を開放する開放位置と、の間を移動可能な開閉部材としてのドア（本体ドア）３１が、本体フレーム１０１に設けられている。
【手続補正６】
【補正対象書類名】明細書
【補正対象項目名】００４２
【補正方法】変更
【補正の内容】
【００４２】
これにより、トレイ３５に保持されている第１〜第４の４つカートリッジＰＹ・ＰＭ・ＰＣ・ＰＫの全体が開口３０を通過して装置本体の外側に露出し、全カートリッジの上面が開放される。トレイ３５は、所定の十分量引き出されると、ストッパー部分（不図示）によりそれ以上の引き出し移動が阻止される。また、トレイ３５は、所定の引出し位置まで水平に引き出されている状態が保持部材３４Ｌ・３４Ｒにより安定に保たれる。
【手続補正７】
【補正対象書類名】明細書
【補正対象項目名】００４５
【補正方法】変更
【補正の内容】
【００４５】
上記において、トレイ３５が、カートリッジが有するドラム１の軸線方向とは交差する方向に移動可能に設けられた移動部材である。また、該トレイ３５が、引出し位置（着脱位置）と、潜像形成位置と、移動可能位置と、を取り得る。ここで、引出し位置は、前記開口３０から突出して、カートリッジを装置本体の外側において着脱出来る位置（着脱可能な着脱位置）である。また、潜像形成位置は、カートリッジを本体フレーム１０１の内側に位置させてドラム１に静電潜像を形成できる位置である。また、移動可能位置は、装置本体の内側の位置であって、引出し位置から潜像形成位置への経路の途中に位置している。
【手続補正８】
【補正対象書類名】明細書
【補正対象項目名】００４６
【補正方法】変更
【補正の内容】
【００４６】
また、左右の保持部材３４Ｌ・３４Ｒが、トレイ３５を前記引出し位置に移動する前に、トレイ３５を前記潜像形成位置から上方向に移動させる、および、前記潜像形成位置へ向かって下方向に移動させる移動手段である。別の言い方をすれば、保持部材３４Ｌ・３４Ｒは、トレイ３５を前記引出し位置と前記移動可能位置との間で移動させるための第二の位置と、トレイ３５を前記潜像形成位置に位置させるための第一の位置とを取り得る。そして、ドア３１が閉じるのに連動して、保持部材３４Ｌ・３４Ｒは、前記第二の位置から前記第一の位置に移動する。
【手続補正９】
【補正対象書類名】明細書
【補正対象項目名】００５２
【補正方法】変更
【補正の内容】
【００５２】
トレイ３５の左右枠片部３５ｄ・３５ｅが、それぞれ左右の保持部材３４Ｌ・３４Ｒの内側に設けた前後方向のガイド溝部３４ａ（図６・図１０・図２１）に嵌入して係合している。これにより、被支持部材としてのトレイ３５は、左右の保持部材３４Ｌ・３４Ｒ間に支持される。それとともに、ガイド溝部３４ａを滑走して保持部材３４Ｌ・３４Ｒに対して前後方向に水平にスライド移動可能である。
【手続補正１０】
【補正対象書類名】明細書
【補正対象項目名】００６２
【補正方法】変更
【補正の内容】
【００６２】
図１１の（ａ）は、ドア３１が装置本体に対して完全に閉められている状態を示している。この状態においては、保持部材３４Ｌ・３４Ｒは、装置本体内の後方向に位置している。ここで、保持部材３４Ｌ・３４Ｒは、ヒンジ軸３２、連結アーム３７Ｌ・３７Ｒ、横向き軸３７ａ、縦長孔３４ｂを介して装置本体に取り付けられている。ピン軸３４ｃは、カイド穴３６の第１ガイド領域３６ａの後端部に位置している。そのために、保持部材３４Ｌ・３４Ｒは、それぞれ、左フレーム８０Ｌと右フレーム８０Ｒとに対して所定の下げ位置（前記第一の位置）に位置している。従って、保持部材３４Ｌ・３４Ｒに保持されているトレイ３５も所定の下げ位置（前記潜像形成位置）に位置している。